(57)【要約】      （修正有）【課題】従来の木質チップの乾燥方法は、木質チップ乾燥施設天井部の熱溜りの暖かい空気と、雪山を通過した除湿された低温の空気を混合し、堆積している木質チップに送気するため、木質チップの温度が低くなり、乾燥に時間を要する。本発明は、天井部の熱溜りの温かい空気のみを利用して、乾燥を早めることを目的とする。【解決手段】木質チップ乾燥施設１内の空間を、上層９と中層８は空気の温度差で、中層８と下層１３は重さ別で三層に積層化し、上層の暖かい乾燥空気を堆積チップ２に送気し乾燥させる。また、乾燥施設内の空間を上中層と下層に区画し空気の流通を遮断、上中層の二層を積層化し上層の暖かい乾燥空気を堆積チップに送気し乾燥させる。【選択図】図２
2018009774.tif 000002
【特許請求の範囲】
【請求項１】
木質チップ乾燥施設内の空間を、上層と中層は空気の温度差で、中層と下層は重さ別で三層に積層化し、上層の暖かい乾燥空気を堆積チップに送気し乾燥させる方法
【請求項２】
木質チップ乾燥施設内の空間を上中層と下層に区画し空気の流通を遮断、上中層の二層を積層化し上層の暖かい乾燥空気を堆積チップに送気し乾燥させる方法
【発明の詳細な説明】
【技術分野】
【０００１】  本発明は、木質チップを太陽熱と雪冷熱を利用する乾燥方法に関するものである。
【背景技術】
【０００２】  従来の太陽熱と雪冷熱を利用する木質チップの乾燥方法には、チップ乾燥施設内に送風機を設置し雪山を築造後に、この送風機で雪山内に暖かい外気を吸込み雪洞を形成し、その雪面に外気を接触させることで結露し低温の除湿空気を得て、これをチップ乾燥施設内に同じ送風機で吸込み、太陽熱を取り込むためフッ素フィルムで葺いた乾燥施設天井部の熱溜りの暖かい乾燥空気も併せて吸込み混合し、配管を通し堆積している木質チップの下から吹き付ける乾燥施設がある。（例えば、非特許文献１参照）。【０００３】  以下、図３により従来の木質チップ乾燥方法について説明する。図３において、２１は木質チップで被覆した雪山、２２は外気吹出し口、２３は雪洞、２４は屋外配管、２５はフッ素ファイル葺き木質チップ乾燥施設、２６は熱溜り、２７は送風機、２８は屋内配管、２９は堆積木質チップ内吹出し口、３０は堆積木質チップ、３１は排気口である。
【先行技術文献】
【０００４】
【非特許文献】
【非特許文献】  実用新案登録第３１８２２９１号「太陽熱と雪氷冷熱の組合せによるピンチップ等の乾燥装置」
【発明の概要】
【発明が解決しようとする課題】
【０００５】  以上に述べた従来の木質チップの乾燥方法では、乾燥施設天井部の熱溜りの暖かい空気と、雪山を通過した除湿された低温の空気を混合し、堆積している木質チップに送気すると、堆積チップの温度が低くなり乾燥に要する時間が長く、乾燥施設における年間複数回の乾燥作業が難しく、よく乾燥された燃料用の高品質な木質チップとはなっていなかった。【０００６】  本発明は、このような従来の有していた問題を解決しようとするものであり、天井部の熱溜りの暖かい空気のみを利用し、乾燥を速めることを目的とするものである。
【課題を解決するための手段】
【０００７】  そして、本発明は上記の目的を達成するために、乾燥施設内の空間を空気の重さと温度別の上中下層の三層に積層化する。【０００８】  三層の積層化では、下層の空気は、送風機１で上層にて得られる暖かく乾燥した空気を堆積している木質チップの下方から吹出し、堆積チップ内を上昇する際にチップの水分を含んで重たい空気となり、堆積チップ上に吹出し下層を形成する。【０００９】  この湿った重たい空気は、施設の両脇に設けた排気口から自然排気する。【００１０】  中層の空気は、送風機２で雪山を通過し除湿された低温の軽い空気を吸込み、施設内空間に吹出し中層を形成する。【００１１】  上層の空気は、中層に吹出された空気が押し上げられ、乾燥施設内の天井部で気温と日射で暖められる。【００１２】  この暖められた空気は、送風機１により吸込まれ、配管を通して堆積している木質チップの下方から吹出し、湿っている木質チップを乾燥する。【００１３】  下層と中層の空気は重さの違いを、中層と上層の空気は温度の差を利用し積層化を図り、送風機で暖かい乾燥空気を送気することで、乾燥速度を速め均一な高品質の燃料用木質チップをつくる。【００１４】  また、乾燥施設内の空間を上中層と下層に区画し、上中層の二層を積層化する。【００１５】  中層と下層の境目に、区画材で仕切り空気の流通を遮断する。【００１６】  下層の空気は、送風機１で上層にて得られる暖かい乾燥空気を堆積している木質チップの下方から吹出し、堆積チップ内を上昇する際にチップの水分を含んで重たい空気となり、堆積チップ上に吹出し下層を形成する。【００１７】  下層の湿った空気は、区画材で仕切られ中層の空気と接触することなく、施設外へ自然排気される。【００１８】  中層の空気は、送風機２で雪山を通過し除湿された低温の軽い空気を吸込み、施設内空間に吹出し中層を形成する。【００１９】  上層の空気は、中層に吹出された空気が押し上げられ、乾燥施設内の天井部で気温と日射で暖められ、送風機１により吸込まれ、配管を通して堆積している木質チップの下方から吹出し、湿っている木質チップを乾燥する。【００２０】  下層と中層の空気は区画材で仕切られることで接触せず、中層の空気は送風機２の連続する送気で上層に押し上げられ、中層と上層は温度差により積層化し、送風機１で暖かい乾燥空気を送気することで、乾燥速度を速め均一な高品質の燃料用木質チップをつくる。
【発明の効果】
【００２１】  上述したように本発明の木質チップの乾燥方法は、乾燥が早まることで、年間複数回の乾燥作業が可能となり、一施設での処理量が飛躍的に増大する。【００２２】  また、送気温度が高く乾燥能力が増し、高品質で安定した供給が可能となる。
【図面の簡単な説明】
【００２３】
【図１】  雪山と乾燥施設内の空気を上中下層に積層化する図
【図２】  雪山と乾燥施設内の空気を上中層と下層に区割り、上中層を積層化する図
【図３】  従来の混合利用の実施形態を示す循環図
【発明を実施するための形態】
【００２４】  以下、本発明の実施の形態と動作を図１から図２に基づいて説明する。
【００２５】  図１においては、１はフッ素フィルム葺き木質チップ乾燥施設で、２は同施設内に堆積している木質チップである。
【００２６】  ３は木質チップで被覆された雪山で、４は外気を吸込む送風機２で、５は暖かい外気の吸込口で、６の雪洞を形成し、７の屋外送気配管で、８の乾燥施設内の中層に吹出す。
【００２７】  吹出された空気は外気と日射で加温され、９の乾燥施設空間の上層に上昇すると伴に、１０の送風機１により吸込まれ、１１の屋内送気配管で、１２の堆積チップ吹出し口から堆積している木質チップに吹出される。
【００２８】  吹出された空気は、堆積木質チップの含んだ水分を吸着して、１３の乾燥施設空間の下層に吹き出る。
【００２９】  この吹出された空気は重く上昇することなく、１４の排気口から自然排気される。
【００３０】  図２においては、１はフッ素フィルム葺き木質チップ乾燥施設で、２は同施設内に堆積している木質チップである。
【００３１】  ３は木質チップで被覆された雪山で、４は外気を吸込む送風機２で、５は暖かい外気の吸込口で、６の雪洞を形成し、７の屋外送気配管で、８の乾燥施設内の中層に吹出す。
【００３２】  吹出された空気は外気と日射で加温され、９の乾燥施設空間の上層に上昇すると伴に、１０の送風機１により吸込まれ、１１の屋内送気配管で、１２の堆積チップ吹出し口から堆積している木質チップに吹出される。
【００３３】  吹出された空気は、堆積木質チップの含んだ水分を吸着して、１３の乾燥施設空間の下層に吹き出る。
【００３４】  この１３の下層に吹出した空気は、１５の区画材により上昇が阻まれ、１４の排気口から自然排気される。
【符号の説明】
【００３５】  １    フッ素フィルム葺き木質チップ乾燥施設
２    堆積木質チップ
３    木質チップで被覆された雪山
４    送風機２
５    外気の吹出し口
６    雪洞
７    屋外送気配管
８    乾燥施設空間の中層
９    乾燥施設空間の上層
１０  送風機１
１１  屋内送気配管
１２  堆積チップ吹出口
１３  乾燥施設空間の下層
１４  排気口
１５  区画材
【図１】
2018009774.tif 000003
【図２】
2018009774.tif 000004
【図３】
2018009774.tif 000005
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
雪山内に風洞形成し外気を通過させ低温乾燥空気を作り、この風洞通過空気を乾燥施設内の中層に送気し、太陽エネルギーによって暖め二段構えでこの風洞通過空気を高温乾燥空気にして木質チップを乾燥する方法。